(57)【要約】【課題】アバタに対する背景画像に関し、ユーザが撮影した画像情報及び位置情報に基づいて、画像情報の特徴を抽出しつつ、ユーザの所望する情報（背景画像）を簡易に迅速に提供することが可能となるアイテム流通装置及びアイテム流通方法及びプログラムを提供する。【解決手段】ユーザ撮像画像情報と類似する画像パターン情報を画像パターン情報ＤＢ１５から特定する画像パターン特定部１１と、受信された位置情報に基づいて周辺情報を抽出する周辺情報抽出部１２と、画像パターン情報と周辺情報抽出部１２によって抽出された周辺情報とを比較し、アイテム情報を判定する判定部１３と、ユーザＩＤ確認情報に関連するユーザ画像情報をアイテム情報ＤＢ１７から検索し、判定部１３によって判定されたアイテム情報をアイテム情報ＤＢ１７から検索し、ユーザ画像情報とアイテム情報とを関連付け、ユーザに送信するアイテム反映部１４とを備える。【選択図】図３
2010003223.tif 000002
【特許請求の範囲】
【請求項１】
画像情報としてのアイテム情報が記憶されているアイテム情報記憶手段と、
前記画像情報の特徴的なパターンが抽出された画像パターン情報が記憶された画像パターン情報記憶手段と、
受信された位置情報に基づく周辺情報が記憶されている周辺情報記憶手段と、
ユーザＩＤ確認情報とユーザ端末に記憶されているユーザ撮像画像情報とユーザの前記位置情報とを受信する受信手段と、
前記ユーザ撮像画像情報と類似する前記画像パターン情報を前記画像パターン情報記憶手段から特定する画像パターン特定手段と、
受信された前記位置情報に基づいて前記周辺情報を抽出する周辺情報抽出手段と、
前記画像パターン特定手段によって特定された前記画像パターン情報と前記周辺情報抽出手段によって抽出された前記周辺情報とを比較し、前記アイテム情報を判定する判定手段と、
受信された前記ユーザＩＤ確認情報に関連するユーザ画像情報を前記アイテム情報記憶手段から検索し、前記判定手段によって判定された前記アイテム情報を前記アイテム情報記憶手段から検索し、前記ユーザ画像情報と前記アイテム情報とを関連付け、ユーザに送信するアイテム反映手段と、
を備えることを特徴とするアイテム流通装置。
【請求項２】
前記アイテム反映手段は、前記アイテム情報と前記ユーザ画像情報とを重ね合わせた合成画像情報を生成し、前記合成画像情報を前記ユーザＩＤ確認情報を送信したユーザに送信することを特徴とする請求項１記載のアイテム流通装置。
【請求項３】
前記画像パターン特定手段は、前記受信手段によって受信された前記ユーザＩＤ確認情報が正当に登録されている場合に特定動作を実行し、
前記アイテム反映手段は、前記ユーザＩＤ確認情報が正当に登録されている場合にアイテム情報の検索動作及び前記アイテム情報と前記ユーザ画像情報とを関連付ける動作を実行することを特徴とする請求項１又は２記載のアイテム流通装置。
【請求項４】
前記周辺情報抽出手段は、前記周辺情報を前記周辺情報記憶手段から抽出する場合には、受信された前記位置情報と近い位置情報を有する前記周辺情報から抽出し、前記アイテム反映手段は、前記アイテム情報を前記アイテム情報記憶手段から検索する場合には、前記アイテム情報を最新に登録された前記アイテム情報から順番に検索することを特徴とする請求項１乃至請求項３の何れか一項に記載のアイテム流通装置。
【請求項５】
画像情報としてのアイテム情報が記憶されるアイテム情報記憶工程と、
前記画像情報の特徴的なパターンが抽出された画像パターン情報が記憶される画像パターン情報記憶工程と、
受信された位置情報に基づく周辺情報が記憶される周辺情報記憶工程と、
ユーザＩＤ確認情報とユーザ端末に記憶されているユーザ撮像画像情報とユーザの前記位置情報とを受信する受信工程と、
前記ユーザ撮像画像情報と類似する前記画像パターン情報を前記画像パターン情報記憶工程から特定する画像パターン特定工程と、
受信された前記位置情報に基づいて前記周辺情報を抽出する周辺情報抽出工程と、
前記画像パターン特定工程において特定された前記画像パターン情報と前記周辺情報抽出工程において抽出された前記周辺情報とを比較し、前記アイテム情報を判定する判定工程と、
受信された前記ユーザＩＤ確認情報に関連するユーザ画像情報を前記アイテム情報記憶工程から検索し、前記判定工程において判定された前記アイテム情報を前記アイテム情報記憶工程から検索し、前記ユーザ画像情報と前記アイテム情報とを関連付け、ユーザに送信するアイテム反映工程と、
を備えることを特徴とするアイテム流通方法。
【請求項６】
請求項５に記載の方法をコンピュータに実行させることを特徴とするプログラム。
【発明の詳細な説明】
【技術分野】
【０００１】
本発明は、ユーザにより入力された画像情報に基づいて、ユーザが所望する情報を提供するアイテム流通装置及びアイテム流通方法及びプログラムに関する。
【背景技術】
【０００２】
インターネットの社会への普及に伴い、ネットワーク上で情報を閲覧したり、検索したり、あるいは商品を購入したり、といった受身のユーザのみならず、ユーザ自らが情報の発信者としてＷｅｂ上で擬似的な日記（いわゆるブログ）を公開したり、嗜好の一致する者同士でコミュニティを構成したり、といった積極的な行動をとるユーザが急速に増加している。
【０００３】
特に、ブログがこの数年で急速に普及した背景には、インターネットの初心者でも簡単にホームページに文章や写真を登録して発信できるブログエディターの果たした貢献が大きいものと考えられる。
【０００４】
そして、こうしたブログの社会への普及は、単に通信ネットワークに接続できる端末によって情報を閲覧していた時代には考えられなかったネットワーク上の社会（いわゆるネットワークコミュニティ）が現実の社会とは別にもう一つ出現し、急速に発展しつつあることを示している。
【０００５】
こうした状況において、ネットワーク上でユーザ自身を表すシンボルとして、「アバタ」を活用するユーザが増加している。「分身」を意味するアバタは、具体的には画像データ、動画データ、音声データ等で表現されたいわゆるキャラクタであるが、現実の社会とは別に存在するネットワークコミュニティにおいて自分自身を表現し、他のユーザと対話し、共感し、議論し、同好の友人関係を広げる、といった様々な活動において、擬似的な行動主体としてその存在意義を高めている。
【０００６】
具体的には、例えば、ブログを公表する際に、アバタを画面の中で活用することにより、ユーザの書き込みによる文書とは別にユーザ自身をキャラクタデータにより直感的に表現することができるので、それを見る人にあたかもネットワーク上に自分の分身が存在するかのような感覚を抱かせ、ネットワークコミュニティにおけるコミュニケーションを強力にサポートすることができる。
【０００７】
また、アバタは、基本となる画像にオプションとなる背景画像を選択して組み合わせることにより構成されており、背景画像を編集する技術として例えば特許文献１に記載されている技術が開示されている。
【特許文献１】特開２００７−１３３７７６号公報
【発明の開示】
【発明が解決しようとする課題】
【０００８】
アバタは、コミュニティサイトやオンラインゲームに限らず、Ｍｙページとして各ユーザに提供されるＷＥＢサイトにおいて、匿名性を維持しつつ自己の特徴や個性を発信する機能として、当該ＷＥＢサイトにアクセスする不特定多数のユーザに対し、より豊かで柔軟に表現できることが求められている。
【０００９】
しかし、背景画像を編集する場合においては、編集に自由度を持たせても原画像の適切性（良否等）が編集作業に大きく影響するのでユーザが望む背景画像を編集することは非常に時間がかかり、あるいは非常に困難であった。また、ユーザが望む背景画像を検索する場合においても、検索する基準が明確でなく、限られた画像又は非常に多くの数の画像の中からユーザの所望する画像を検索することが困難であった。
【００１０】
本発明は、上述した課題を解決するために、アバタに対する背景画像に関し、ユーザが撮影した画像情報及び位置情報に基づいて、画像情報の特徴を抽出しつつ、ユーザの所望する情報（背景画像）を簡易に迅速に提供することが可能となるアイテム流通装置及びアイテム流通方法及びプログラムを提供することを目的とする。
【課題を解決するための手段】
【００１１】
（１）画像情報としてのアイテム情報が記憶されているアイテム情報記憶手段と、
前記画像情報の特徴的なパターンが抽出された画像パターン情報が記憶された画像パターン情報記憶手段と、
受信された位置情報に基づく周辺情報が記憶されている周辺情報記憶手段と、
ユーザＩＤ確認情報とユーザ端末に記憶されているユーザ撮像画像情報とユーザの前記位置情報とを受信する受信手段と、
前記ユーザ撮像画像情報と類似する前記画像パターン情報を前記画像パターン情報記憶手段から特定する画像パターン特定手段と、
受信された前記位置情報に基づいて前記周辺情報を抽出する周辺情報抽出手段と、
前記画像パターン特定手段によって特定された前記画像パターン情報と前記周辺情報抽出手段によって抽出された前記周辺情報とを比較し、前記アイテム情報を判定する判定手段と、
受信された前記ユーザＩＤ確認情報に関連するユーザ画像情報を前記アイテム情報記憶手段から検索し、前記判定手段によって判定された前記アイテム情報を前記アイテム情報記憶手段から検索し、前記ユーザ画像情報と前記アイテム情報とを関連付け、ユーザに送信するアイテム反映手段と、
を備えることを特徴とするアイテム流通装置。
【００１２】
（１）に係る発明によれば、携帯電話等の携帯機器のデジタルカメラでユーザが撮影した画像情報（ユーザ撮像画像情報）と携帯電話等の携帯機器に付属しているＧＰＳ情報に基づいて、デザイナー等によって予めデザイン化されたユーザ撮像画像情報に対応するアイテム情報を検索し、ユーザＩＤ確認情報（ユーザ登録ＩＤ）に関連するユーザ画像情報（アバタ等のユーザに特有の個性を反映したキャラクタ画像類）とデザイナー等によってデザイン化された（漫画化された）アイテム情報をユーザに送信する。
【００１３】
このようにして、（１）に係る発明によれば、アバタに対する背景画像に関し、ユーザが撮影した画像情報及び位置情報に基づいて、画像情報の特徴を抽出しつつ、洗練された、スマートなユーザの所望する情報（背景画像）とアバタとの合成画像を簡易に迅速に登録ユーザだけに供給することが可能となる。
【００１４】
また、ユーザが画像を選択することなく自動的にアイテム情報が判定されるので、携帯電話等の携帯機器を介したお友達等と、ユーザの（オリジナリティが反映された）個性に基づいたキャラクタ画像類とアイテム情報とが関連した情報（合成画像）とを容易に共有することが可能となり、より付加価値の高い（娯楽性、楽しみの度合いが高い）サービスをユーザに提供することが可能となる。
【００１５】
（２）前記アイテム反映手段は、前記アイテム情報と前記ユーザ画像情報とを重ね合わせた合成画像情報を生成し、前記合成画像情報を前記ユーザＩＤ確認情報を送信したユーザに送信することを特徴とする（１）記載のアイテム流通装置。
【００１６】
（２）に係る発明によれば、ユーザが選択した選択関連アイテム情報（背景画像）にユーザ画像情報（アバタ等のユーザの個性を反映したキャラクタ画像類）を合成することが可能となる。
【００１７】
このようにして、（２）に係る発明によれば、ユーザが選択した好みのアイテム情報を背景画像としてアバタ画像に重ね合わせる（合成する）ことで、ユーザがどこにいるかという情報をユーザ端末２０から、ユーザ端末２０を介した友人等に発信することができ、ユーザにサーバ装置１０のサービス会社に独特のユーザの満足度を高めるサービスを提供することが可能になる。
【００１８】
（３）前記画像パターン特定手段は、前記受信手段によって受信された前記ユーザＩＤ確認情報が正当に登録されている場合に特定動作を実行し、
前記アイテム反映手段は、前記ユーザＩＤ確認情報が正当に登録されている場合にアイテム情報の検索動作及び前記アイテム情報と前記ユーザ画像情報とを関連付ける動作を実行することを特徴とする（１）又は（２）記載のアイテム流通装置。
【００１９】
（３）に係る発明によれば、画像パターン特定部１１及びアイテム反映部１４は、受信されたユーザＩＤ確認情報（ユーザＩＤ（ＩＤｅｎｔｉｆｉｃａｔｉｏｎ））が正当（正規）に登録されている場合にのみ実行する機能を有する。
【００２０】
ユーザＩＤは予め画像パターン情報ＤＢ１５、アイテム情報ＤＢ１７等の記憶装置４１０に記憶（登録）されているので、画像パターン特定部１１及びアイテム反映部１４は容易にユーザＩＤが記憶されているか否かを確認することが可能である。
【００２１】
このようにして、（３）に係る発明によれば、ユーザＩＤが正当に登録されている正規の会員にのみ本サービスを提供することが可能となる。また、アイテム反映部１４は、ユーザＩＤ確認情報（ユーザＩＤ）を送信したユーザに送信部１９を介して合成画像情報を送信するので、ユーザＩＤが正当に登録されている正規の会員にのみ、本サービスを確実に提供することができ、二重にユーザチェック機能を働かせることが可能である。
【００２２】
（４）前記周辺情報抽出手段は、前記周辺情報を前記周辺情報記憶手段から抽出する場合には、受信された前記位置情報と近い位置情報を有する前記周辺情報から抽出し、前記アイテム反映手段は、前記アイテム情報を前記アイテム情報記憶手段から検索する場合には、前記アイテム情報を最新に登録された前記アイテム情報から順番に検索することを特徴とする（１）乃至（３）の何れか一項に記載のアイテム流通装置。
【００２３】
（４）に係る発明によれば、周辺情報抽出部１２は、ユーザ端末２０から送信されたユーザ端末２０の位置を示す位置情報に近い位置情報を有する周辺情報から優先的に抽出し、アイテム反映部１４は最新に登録された前記アイテム情報から順番に検索する。
【００２４】
このようにして、（４）に係る発明によれば、周辺情報ＤＢ１６に記憶（登録）されている周辺情報の中でユーザ端末２０に近い位置に存在するアイテム情報を示す周辺情報が抽出されるので、確実かつ簡易にユーザがユーザ端末２０のデジタルカメラ等で撮影したユーザ撮像画像情報に対応するアイテム情報を検索することが可能になる。また、アイテム情報ＤＢ１７に記憶（登録）されるアイテム情報は、絶えず更新登録されるが、アイテム情報の属性情報として記録されている登録日時を検索することで、最も新しく、流行になっているアイテム情報をアイテム反映部１４は容易に検索することが可能になる。
【００２５】
（５）画像情報としてのアイテム情報が記憶されるアイテム情報記憶工程と、
前記画像情報の特徴的なパターンが抽出された画像パターン情報が記憶される画像パターン情報記憶工程と、
受信された位置情報に基づく周辺情報が記憶される周辺情報記憶工程と、
ユーザＩＤ確認情報とユーザ端末に記憶されているユーザ撮像画像情報とユーザの前記位置情報とを受信する受信工程と、
前記ユーザ撮像画像情報と類似する前記画像パターン情報を前記画像パターン情報記憶工程から特定する画像パターン特定工程と、
受信された前記位置情報に基づいて前記周辺情報を抽出する周辺情報抽出工程と、
前記画像パターン特定工程において特定された前記画像パターン情報と前記周辺情報抽出工程において抽出された前記周辺情報とを比較し、前記アイテム情報を判定する判定工程と、
受信された前記ユーザＩＤ確認情報に関連するユーザ画像情報を前記アイテム情報記憶工程から検索し、前記判定工程において判定された前記アイテム情報を前記アイテム情報記憶工程から検索し、前記ユーザ画像情報と前記アイテム情報とを関連付け、ユーザに送信するアイテム反映工程と、を備えることを特徴とするアイテム流通方法。
【００２６】
（５）に係る発明によれば、携帯電話等の携帯機器のデジタルカメラでユーザが撮影した画像情報（ユーザ撮像画像情報）と携帯電話等の携帯機器に付属しているＧＰＳ情報に基づいて、ユーザ撮像画像情報に対応するデザイナー等によって予めデザイン化されたアイテム情報を検索し、ユーザＩＤ確認情報（ユーザ登録ＩＤ）に関連するユーザ画像情報（アバタ等のユーザに特有の個性を反映したキャラクタ画像類）とデザイナー等によってデザイン化された（漫画化された）アイテム情報をユーザに送信する。
【００２７】
このようにして、（５）に係る発明によれば、アバタに対する背景画像に関し、ユーザが撮影した画像情報及び位置情報に基づいて、画像情報の特徴を抽出しつつ、洗練された、スマートなユーザの所望する情報（背景画像）とアバタとの合成画像を簡易に迅速に登録ユーザだけに供給することが可能となる。
【００２８】
また、ユーザが画像を選択することなく自動的にアイテム情報が判定されるので、携帯電話等の携帯機器を介したお友達等と、ユーザの（オリジナリティが反映された）個性に基づいたキャラクタ画像類とアイテム情報とが関連した情報（合成画像）とを容易に共有することが可能となり、より付加価値の高い（娯楽性、楽しみの度合いが高い）サービスをユーザに提供することが可能となる。
【００２９】
（６）（５）に記載の方法をコンピュータに実行させることを特徴とするプログラム。
【００３０】
このような構成によれば、当該プログラムをコンピュータに実行させることにより、（５）と同様の効果が期待できる。
【発明の効果】
【００３１】
本発明によれば、アバタに対する背景画像に関し、ユーザが撮影した画像情報及び位置情報に基づいて、画像情報の特徴を抽出しつつ、ユーザの所望する情報（背景画像）を簡易に迅速に提供することができる。
【発明を実施するための最良の形態】
【００３２】
以下、本発明の実施形態について図１を参照しながら説明する。
［システム全体構成］
図１には、本実施形態に係るサーバ装置１０と、ユーザ端末２０とから構成される情報処理システム１を示す。なお、図１においては、情報処理システム１は、サーバ装置１０と、ユーザ端末２０とがそれぞれ一つずつで示されているが、これに限られず、それぞれ複数台で構成されていても良い。
【００３３】
サーバ装置１０は、図２に示すように、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されても良い）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０、並びに半導体メモリ３９０を備える。なお、ハードディスク３７０、光ディスクドライブ３８０、並びに、半導体メモリ３９０はまとめて記憶装置４１０と呼ばれる。
【００３４】
制御部３００は、サーバ装置１０を統括的に制御する部分であり、ハードディスク３７０に記憶された各種プログラムを適宜読み出して実行することにより、上述したハードウェアと協働し、本発明に係る各種機能を実現している。
【００３５】
通信Ｉ／Ｆ３３０は、サーバ装置１０が、ネットワークを介してユーザ端末２０等の他の装置と情報を送受信する場合のネットワーク・アダプタである。
【００３６】
ＢＩＯＳ３５０は、サーバ装置１０の起動時にＣＰＵ３１０が実行するブートプログラムや、サーバ装置１０のハードウェアに依存するプログラム等を記録する。
【００３７】
Ｉ／Ｏコントローラ３６０には、ハードディスク３７０、光ディスクドライブ３８０、及び半導体メモリ３９０等の記憶装置４１０を接続することができる。
【００３８】
ハードディスク３７０は、本ハードウェアをサーバ装置１０として機能させるための各種プログラム、本発明の機能を実行するプログラム及び後述するテーブル等を記憶する。なお、サーバ装置１０は、外部に別途設けたハードディスク（図示せず）を外部記憶装置として利用することもできる。
【００３９】
光ディスクドライブ３８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク４００を使用する。光ディスク４００から光ディスクドライブ３８０によりプログラム又はデータを読み取り、Ｉ／Ｏコントローラ３６０を介してメインメモリ３４０又はハードディスク３７０に提供することもできる。
【００４０】
なお、本発明でいうコンピュータとは、記憶装置、制御部等を備えた情報処理装置をいい、サーバ装置１０は、記憶装置４１０、制御部３００等を備えた情報処理装置により構成され、この情報処理装置は、本発明のコンピュータの概念に含まれる。
【００４１】
また、本発明に係るサーバ装置１０は、上述のような構成を有することにより、携帯電話等のユーザ端末２０のデジタルカメラでユーザが撮影した画像情報（ユーザ撮像画像情報）と携帯電話等の携帯機器に付属しているＧＰＳ（ｇｌｏｂａｌ  ｐｏｓｉｔｉｏｎｉｎｇ  ｓｙｓｔｅｍ）情報に基づいて、ユーザ撮像画像情報に対応するデザイナー等によって予めデザイン化されたアイテム情報を検索し、ユーザＩＤ確認情報（ユーザ登録ＩＤ）に関連するユーザ画像情報（アバタ等のユーザに特有の個性を反映したキャラクタ画像類）とデザイナー等によってデザイン化された（漫画化された）アイテム情報を関連付けてユーザに送信して実行する機能を有している。
【００４２】
ここで、当該機能を発揮するための構成について、図３に示す機能ブロック図を用いて説明する。サーバ装置１０は、画像パターン特定手段としての画像パターン特定部１１と、周辺情報抽出手段としての周辺情報抽出部１２と、判定手段としての判定部１３と、アイテム反映手段としてのアイテム反映部１４と、画像パターン情報記憶手段としての画像パターン情報ＤＢ（Ｄａｔａｂａｓｅ）１５と、周辺情報記憶手段としての周辺情報ＤＢ１６と、アイテム情報記憶手段としてのアイテム情報ＤＢ１７と、受信手段としての受信部１８と、送信手段（及びアイテム反映手段の一部の機能である送信機能）としての送信部１９とを備える。
【００４３】
画像パターン特定部１１は、ユーザ撮像画像情報と類似する画像パターン情報を前記画像パターン情報ＤＢ１５から特定する機能を有する。
【００４４】
すなわち、ユーザが携帯電話等のユーザ端末２０に付属しているデジタルカメラ等の撮影装置で撮影した画像情報（ユーザ撮像画像情報）から特徴的なパターン部分を抽出し、抽出された特徴的なパターン部分と共通するパターン部分を有する画像パターン情報を、画像パターン情報ＤＢ１５に予め記憶されていた画像パターン情報から特定する。
【００４５】
画像パターン情報では、画像パターン情報毎に画像パターンアドレスが関連付けられている。
【００４６】
例えば、タワー型の画像パターンには画像パターンアドレス（０００１）が関連付けられ、高層ビル型の画像パターンには画像パターンアドレス（０００２）が関連付けられ、寺院型の画像パターンには画像パターンアドレス（０００３）が関連付けられている（詳細は図６の説明において詳述する）。
【００４７】
携帯電話等のユーザ端末２０に付属しているデジタルカメラ等の撮影装置でユーザが撮影した画像情報は、ユーザがアバタの背景画像に使用したいと思って撮影する場合がある。この場合に、撮影装置で撮影した画像情報に特徴的なパターン部分を抽出することによってユーザが希望するアイテム情報を容易に提供することが可能になる。
【００４８】
また、ユーザはユーザのキャラクタを表すアバタと背景画像とを組み合わせ（合成し）、背景画像が撮影された場所にユーザが居ることを発信したいと希望している場合がある。この場合にも、画像情報に特徴的なパターン部分を抽出することによって、ユーザが居る場所を容易に特定することが可能なアイテム情報を容易に提供することが可能になる。
【００４９】
また、画像パターン特定部１１は、受信されたユーザＩＤ確認情報（ユーザＩＤ）が正当（正規）に登録されている場合にのみ検索を実行する機能を有する。
【００５０】
すなわち、ユーザＩＤが正当に登録されている正規の会員にのみ本サービスを提供する機能を有する。ユーザＩＤは予め画像パターン情報ＤＢ１５、アイテム情報ＤＢ１７等の記憶装置４１０に記憶（登録）されているので、画像パターン特定部１１は容易にユーザＩＤが記憶されているか否かを確認することが可能である。
【００５１】
また、周辺情報抽出部１２は、受信された前記位置情報に基づいて前記周辺情報を抽出する機能を有する。
【００５２】
周辺情報ＤＢ１６には、北緯の緯度情報と東経の経度情報によって地図上の位置を特定する位置情報と、その位置情報によって示される位置に立地する建造物（○○タワー、△△タワー等のタワー型建造物、遊園地の観覧車や高層ビルディング等のランドマーク）の画像パターンアドレスや、その位置情報によって示される位置に存在する山、海、川等の自然の風景の画像パターンアドレスとアイテム情報ＩＤとが関連付けられて記憶（登録）されている（詳細は図６の説明において詳述する）。
【００５３】
また、周辺情報抽出部１２は、受信されたユーザ端末２０が位置する（ＧＰＳによる）位置情報に基づいて、ＧＰＳによって示される北緯の緯度情報と東経の経度情報の値に近い値を有する（ユーザ端末２０が位置する場所に近い）周辺情報を抽出する。
【００５４】
これらの周辺情報には前述したように、ユーザ端末２０に付属しているデジタルカメラ等の撮影装置で撮影した画像情報を特定するための画像パターンアドレスが関連付けられている。周辺情報における一つの位置情報には一つの画像パターンアドレスが関連付けられている。
【００５５】
次に、判定部１３は、画像パターン特定部１１によって特定された画像パターン情報と周辺情報抽出部１２によって抽出された周辺情報とを比較し、アイテム情報を判定する。
【００５６】
すなわち、判定部１３は、画像パターン特定部１１によって特定された画像パターン情報と周辺情報抽出部１２によって抽出された周辺情報とを比較して、ユーザがユーザ端末２０に付属しているデジタルカメラ等の撮影装置で撮影した画像情報を判定する。
【００５７】
具体的には、画像パターン特定部１１によって特定された画像パターン情報の画像パターンアドレスを有する、周辺情報抽出部１２によって抽出された周辺情報を検索し、その周辺情報が示すアイテム情報ＩＤをユーザがユーザ端末２０に付属しているデジタルカメラ等の撮影装置で撮影した画像情報を指し示すアイテム情報ＩＤであると判定する（詳細は図６の説明において詳述する）。
【００５８】
すなわち、ユーザが撮影した画像情報に類似するアイテム情報であって、デザイナー等によって予め作成されたデザイン化（漫画化）されたアイテム情報を判定することが可能である。従って、デザイナー等のプロが作成して洗練されており、画像情報の特徴部分が人間に確実に（また、場合によっては楽しく）把握されることが可能なアイテム情報をユーザに提供することが可能になる。
【００５９】
また、ユーザが画像を選択することなく自動的にアイテム情報（ユーザが撮影した対象物をデザイン化（漫画化）した情報）が判定されるので、より付加価値の高い（娯楽性、楽しみの度合いが高い）サービスを登録ユーザのみに提供することが可能になる。
【００６０】
アイテム反映部１４は、受信されたユーザＩＤ確認情報に関連するユーザ画像情報をアイテム情報ＤＢ１７から検索し、判定部１３によって判定されたアイテム情報をアイテム情報ＤＢ１７から検索し、ユーザ画像情報とアイテム情報とを関連付け、ユーザに送信する機能を有する。
【００６１】
具体的には、アイテム反映部１４は、ユーザＩＤ確認情報（ユーザＩＤ）に関連するユーザ画像情報（アバタ等の画像情報）をアイテム情報ＤＢ１７から検索する。ここで、ユーザ画像情報はユーザがユーザ端末２０から事前にアイテム情報ＤＢ１７に登録しておくことができる。
【００６２】
そして、アイテム反映部１４は、判定部１３において判定されたアイテム情報のＩＤを基にアイテム情報ＤＢ１７からデザイナー等によって予め作成されたデザイン化（漫画化）されたアイテム情報を検索し、ユーザ自身を表すシンボルとしてのアバタに、ユーザが撮影した画像情報に類似した洗練されたアイテム情報を組み合わせることができる。
【００６３】
また、アイテム反映部１４は、選択関連アイテム情報とユーザ画像情報とを重ね合わせた合成画像情報を生成し、合成画像情報をユーザＩＤ確認情報を送信したユーザに送信部１９を介して送信する機能を有する。
【００６４】
すなわち、ユーザが選択した好みのアイテム情報を背景画像としてアバタ画像に重ね合わせる（合成する）ことで、ユーザがどこにいつかという情報をユーザ端末２０から、ユーザ端末２０を介した友人等に発信することができ、ユーザにサーバ装置のサービス会社に独特のユーザの満足度を高めるサービスを提供することが可能になる。
【００６５】
また、アイテム反映部１４は、ユーザＩＤ確認情報（ユーザＩＤ）を送信したユーザに送信部１９を介して合成画像情報を送信するので、ユーザＩＤが正当に登録されている正規の会員にのみ、本サービス確実に提供することができる。
【００６６】
さらに、アバタ等の画像情報を使用せずに、ユーザＩＤを使用して、ユーザ端末２０とサーバ装置１０との間で情報の送受信を行っているので、送受信するデータ容量が小さくなり、ユーザの写真撮影から合成画像情報を提供するまでのサービスを高速かつ容易に提供することが可能となる。
【００６７】
また、アイテム情報ＤＢ１７に記憶（登録）されるアイテム情報は、絶えず更新登録される。従って、アイテム情報の属性情報として記録されている登録日時を検索することによって、最も新しく、流行になっているアイテム情報をアイテム反映部１４は容易に検索することが可能になる（詳細は図６の説明において詳述する）。
【００６８】
画像パターン情報ＤＢ１５には、画像パターン特定部１１によって特定されるべき画像パターン情報が予め記憶（登録）されている。
【００６９】
周辺情報ＤＢ１６には、北緯の緯度情報と東経の経度情報によって地図上の位置を特定する位置情報（場合によっては、北緯の緯度情報の代わりに南緯の緯度情報及び／又は東経の経度情報の代わりに西経の経度情報を使用しても良い）と、その位置情報によって示される位置に立地する建造物（○○タワー、△△タワー等のタワー型建造物、遊園地の観覧車や高層ビルディング等のランドマーク）の画像パターンアドレスや、その位置情報によって示される位置に存在する山、海、川等の自然の風景の画像パターンアドレスとアイテム情報ＩＤが関連付けられて記憶（登録）されている。
【００７０】
アイテム情報ＤＢ１７には、デザイナー等のプロによって予め作成されたデザイン化されたアイテム情報が記憶（登録）されている。デザイナー等のプロによって作成されるアイテム情報は、次々と新しく作成される場合があるので、アイテム情報には登録された登録日時情報が、アイテム情報の属性情報として記憶される。
【００７１】
また、ユーザＩＤ確認情報であるユーザＩＤは予め画像パターン情報ＤＢ１５、アイテム情報ＤＢ１７等の記憶装置４１０に記憶（登録）されている。
【００７２】
受信部１８は、ユーザＩＤを示すユーザＩＤ確認情報、ユーザ端末２０から送信されてくる、ユーザがデジタルカメラ等で撮影したユーザ撮像画像情報等の情報を受信する機能を有する。
【００７３】
送信部１９は、アイテム反映部１４によって合成された合成画像情報をユーザ端末２０に送信する機能を有する。
【００７４】
このような構成によれば、本発明によれば、アバタに対する背景画像に関し、ユーザが撮影した画像情報及び位置情報に基づいて、画像情報の特徴を抽出しつつ、ユーザの所望する情報（背景画像）を簡易に迅速に提供することが可能となる。
【００７５】
［処理手順］
ここで、本発明を適用した場合において実現され得る具体的な処理手順について、図４に示すフローチャートを参照して説明する。なお、以下に示す処理手順は、一例であってこれ以外にも実現され得る処理手順は無数に存在する。
【００７６】
なお、本発明に係るサーバ装置１０は、携帯電話等の携帯機器のデジタルカメラでユーザが撮影した画像情報（ユーザ撮像画像情報）と携帯電話等の携帯機器に付属しているＧＰＳ情報に基づいて、ユーザ撮像画像情報に対応するデザイナー等によって予めデザイン化されたアイテム情報を検索し、ユーザＩＤ確認情報（ユーザ登録ＩＤ）に関連するユーザ画像情報（アバタ等のユーザに特有の個性を反映したキャラクタ画像類）とデザイナー等によってデザイン化された（漫画化された）アイテム情報をユーザに送信することにより、洗練された、スマートな情報提供サービスを登録ユーザだけに送信する。
【００７７】
ユーザが、様々な場所に出かけ、その場所において携帯電話等のユーザ端末２０に付属しているデジタルカメラで、ランドマークとなる建造物や周囲の景色を撮影することがある。この場合にデジタルカメラでランドマークとなる建造物や周囲の景色を撮影したユーザは、アバタにそれらの撮影情報を付加して、ユーザ端末２０でユーザ端末２０を介した友人等にその場所を紹介したい場合がある（またその場所を友人等に知らせたい場合がある）。またブログ等にユーザが出かけた場所に関する記事を書き込む場合にアバタに撮影された情報の特徴を抽出した情報が付加されていればユーザの満足度が向上することが考えられる。以下に、そのような動作をする（サービス提供者の）サーバ装置について動作フローチャートを用いて説明する。
【００７８】
ステップＳ１において、サーバ装置１０は、ネットワークを介して携帯電話等のユーザ端末２０のデジタルカメラで撮影したユーザが撮影した画像情報（ユーザ撮像画像情報）及びユーザＩＤ確認情報（ユーザ登録ＩＤ）を受信する。
【００７９】
ステップＳ２において、サーバ装置１０は、ステップＳ１において受信したユーザＩＤを示すユーザＩＤ確認情報が、画像パターン情報ＤＢ１５、アイテム情報ＤＢ１７等の記憶装置４１０に記憶（登録）されているユーザＩＤ確認情報と一致するか否かを判断する。受信したユーザＩＤ確認情報が記憶装置４１０に登録されていれば、ユーザ撮像画像情報を送信したユーザが正当な（正規の）ユーザであることが確認されるので、以下の画像パターン情報の特定動作を実行する。
【００８０】
また、サーバ装置１０は、ステップＳ１において受信したユーザ撮像画像情報から特徴的なパターン部分を抽出し、抽出された特徴的なパターン部分と共通するパターン部分を有する画像パターン情報を、画像パターン情報ＤＢ１５から特定する。画像パターン情報には、○○タワー、△△タワー、各地の観覧車や高層ビルディング等のランドマーク、山、海、川等の自然の風景等が含まれる。
【００８１】
各画像パターン情報には画像パターンアドレスが付されており、画像パターンアドレスによって画像パターン情報の特徴を判断することが可能になっている。
【００８２】
ステップＳ３において、サーバ装置１０は、ステップＳ１において受信されたユーザ端末２０が位置する位置情報（ＧＰＳ）に基づいて、ＧＰＳによって示される北緯の緯度情報と経度の経度情報の値に近い値を有する（ユーザ端末２０が位置する場所に近い）周辺情報を抽出する。
【００８３】
周辺情報には、実在する○○タワー、△△タワー、各地の観覧車や高層ビルディング等のランドマーク、山、海、川等の自然の風景をデザイナー等のプロがデザイン化したアイテム情報（周辺情報の中ではアイテム情報ＩＤとして関連付けられている）が、北緯の緯度情報と経度の経度情報のよって示される位置情報、及びステップＳ２において特定される画像パターン情報の画像パターンアドレスと関連付けられている。
【００８４】
すなわち、ステップＳ１において受信されたユーザ端末２０が位置する位置情報（ＧＰＳ）に近い位置情報を有する周辺情報をサーバ装置１０が抽出することにより、その周辺情報の中に、ユーザがユーザ端末２０に付属しているデジタルカメラ等の撮影装置で撮影した画像情報をデザイン化（マンガ化）したアイテム情報が含まれることになる。
【００８５】
ステップＳ４において、サーバ装置１０は、ステップＳ２において特定された画像パターン情報の画像パターンアドレスと、ステップＳ３において抽出された周辺情報とを比較し、ステップＳ３において抽出された周辺情報の中からステップＳ２において特定された画像パターン情報の画像パターンアドレスを有する周辺情報を判定する。
【００８６】
このステップＳ４において判定された周辺情報には、デザイナー等によって予め作成され、デザイン化（漫画化）されたアイテム情報を示すアイテム情報ＩＤが付されている。
【００８７】
ステップＳ５において、サーバ装置１０は、ステップＳ４において判定されたアイテム情報を示すアイテム情報ＩＤから、デザイナー等によって予め作成されたデザイン化されたアイテム情報をアイテム情報ＤＢ１７から検索する。
【００８８】
さらに、サーバ装置１０は、最も新しく、流行になっているアイテム情報を検索するために、アイテム情報の属性情報として記録されている登録日時（アイテム情報ＩＤアドレスが異なる）から最新の登録日を有するアイテム情報を検索する。同一のアイテム情報ＩＤを有している場合であっても、アイテム情報を登録した日が異なれば、アイテム情報ＩＤアドレスが異なるので、サーバ装置１０は容易に最新のアイテム情報を検索することが可能である。
【００８９】
また、サーバ装置１０は、ステップＳ１において受信したユーザＩＤ確認情報（ユーザＩＤ）に関連するユーザ画像情報（アバタ等の画像情報）をアイテム情報ＤＢ１７から検索する。ユーザ画像情報はユーザがユーザ端末２０から事前にアイテム情報ＤＢ１７に登録しておくことができる。
【００９０】
また、サーバ装置１０は、アイテム情報ＤＢ１７から検索されたアイテム情報を背景画像としてアバタ画像に重ね合わせる（合成する）。
【００９１】
ステップＳ６において、サーバ装置１０はアバタ画像にアイテム情報が背景画像として合成された合成画像情報を送信部１９を介してユーザ端末２０に送信する。
【００９２】
このように本発明によれば、ユーザが携帯電話等のユーザ端末２０に付属しているデジタルカメラ等の撮影装置で撮影した画像情報を、ユーザがアバタの背景画像に使用したいと思って撮影する場合があるが、この場合に、撮影装置で撮影した画像情報の特徴を抽出したデザイナー等のプロの画像をアバタ画像の背景画像として自動的にかつ容易に使用することが可能になる。
【００９３】
［画像パターン情報の一例］
次に図５を用いて、画像パターン情報の一例について説明する。図５（ａ）は、画像パターン情報の一例としての○○タワーの特徴的なパターンを抽出したタワー型画像パターンである。画像パターン特定部１１は、ユーザがデジタルカメラ等で撮影したユーザ撮像画像情報と比較し、ユーザが○○タワーを撮影した場合には、画像パターン特定部１１は図５（ａ）のタワー型画像パターンを特定する。
【００９４】
図５（ｂ）は、画像パターン情報の一例としての高層ビル（○○タワー近辺の○○ビル等）の特徴的なパターンを抽出した高層ビル型画像パターンである。画像パターン特定部１１は、ユーザがデジタルカメラ等で撮影したユーザ撮像画像情報と比較し、ユーザが高層ビルを撮影した場合には、画像パターン特定部１１は図５（ｂ）の高層ビル型画像パターンを特定する。
【００９５】
図５（ｃ）は、画像パターン情報の一例としての寺院（○○タワー近辺の○○寺等の寺院）の特徴的なパターンを抽出した寺院型画像パターンである。画像パターン特定部１１は、ユーザがデジタルカメラ等で撮影したユーザ撮像画像情報と比較し、ユーザが寺院を撮影した場合には、画像パターン特定部１１は図５（ｂ）の寺院型画像パターンを特定する。
【００９６】
以上画像パターン情報の一例について説明したが、画像パターン情報はこれらに限定されるわけではなく様々な特徴パターンを有する無数の画像パターン情報が存在する。
【００９７】
また、特定の仕方は様々な方法が公知の方法として存在するが、一例としてはユーザ撮像画像情報と画像パターン情報との相関係数を演算する方法、ユーザ撮像画像情報から抽出された特徴パターン情報と画像パターン情報との相関係数を演算する方法が挙げられる。
【００９８】
［画像パターン情報とアイテム情報との関連付けの一例］
次に、アイテム反映部１４が、画像パターン情報に関連するアイテム情報をアイテム情報ＤＢ１７から検索する例の一例について具体的に説明する。図６（ａ）は、画像パターン情報と各画像パターン情報に属性情報として付随している画像パターンアドレスとの関係を示した図である。
【００９９】
タワー型画像パターンには画像パターンアドレス（０００１）が対応付けられており、高層ビル型画像パターンには画像パターンアドレス（０００２）が対応付けられており、寺院型画像パターンには画像パターンアドレス（０００３）が対応付けられていることを示す。これらの画像パターン情報は画像パターン情報ＤＢ１５に記憶（登録）されている。
【０１００】
図６（ｂ）は、周辺情報ＤＢ１６に記憶されている、地図上の位置を特定する位置情報（北緯の緯度情報と東経の経度情報によって位置を表しているが、場合によっては北緯の緯度情報の代わりに南緯の緯度情報及び／又は東経の経度情報の代わりに西経の経度情報を使用しても良い）と、その位置情報によって示される位置に立地する建造物（○○タワー、△△タワー等のタワー型建造物、遊園地の観覧車や高層ビルディング等のランドマーク）の画像パターンアドレスや、その位置情報によって示される位置に存在する山、海、川等の自然の風景の画像パターンアドレスとアイテム情報ＩＤが関連付けられて記憶（登録）されている対応関係を表にしたものである。
【０１０１】
なお、図６（ｂ）では、画像パターン情報として、図６（ａ）に示したタワー型、高層ビル型、寺院型の３つの画像パターン情報について例示した。
【０１０２】
周辺情報抽出部１２は、受信されたユーザ端末２０が位置する位置情報（ＧＰＳ）に基づいて、ＧＰＳによって示される北緯の緯度情報と東経の経度情報の値に近い値を有する（ユーザ端末２０が位置する場所に近い）周辺情報を抽出する。
【０１０３】
例えば、ユーザ端末２０を持ったユーザが○○タワーの前にいる場合に、ユーザ端末２０はＧＰＳの位置情報として、おおよそ、北緯３５．６５８５８７度、東経１３９．７４５４２８度の情報をサーバ装置１０へ送信する。
【０１０４】
この場合、サーバ装置１０の周辺情報抽出部１２はユーザ端末２０の位置情報（おおよそ、北緯３５．６５８５８７度、東経１３９．７４５４２８度）に近い位置情報値を持つ周辺情報を周辺情報ＤＢ１６から抽出する。
【０１０５】
図６（ｂ）はこの場合の抽出された周辺情報の一例を示す表であり、ユーザ端末２０を持ったユーザがいる○○タワー近辺の○○ビルと○○寺に関する周辺情報が抽出されている。
【０１０６】
周辺情報抽出部１２が抽出する位置情報の範囲は任意に予め設定することが可能である。また、周辺情報抽出部１２が予め抽出する周辺情報の数を定めておき、予め定められた数までユーザ端末２０から送信された位置情報に近い順に周辺情報を抽出することができる。
【０１０７】
○○タワーに関する周辺情報には、○○タワーの画像に特徴的なパターンであることを示すタワー型画像パターンに対応する画像パターンアドレス（０００１）が属性情報として関連付けられており、さらに○○タワーを表すアイテム情報のアイテム情報ＩＤ（０００１、０００１）が関連付けられている。
【０１０８】
○○ビルに関する周辺情報には、○○ビルの画像に特徴的なパターンであることを示す高層ビル型画像パターンに対応する画像パターンアドレス（０００２）が属性情報として関連付けられており、さらに、○○ビルを表すアイテム情報のアイテム情報ＩＤ（０００１、０００２）が関連付けられている。
【０１０９】
○○寺に関する周辺情報には、○○寺の画像に特徴的なパターンであることを示す寺院型画像パターンに対応する画像パターンアドレス（０００３）が属性情報として関連付けられており、さらに、○○寺を表すアイテム情報のアイテム情報ＩＤ（０００１、０００３）が関連付けられている。
【０１１０】
図６（ｃ）には、サーバ装置１０の判定部１３が、画像パターン特定部１１によって特定された画像パターン情報（画像パターンアドレス（０００１）によって示されるタワー型画像パターン）と周辺情報抽出部１２によって抽出された周辺情報に基づき判定された○○タワーに関するアイテム情報に関連する情報を示す。
【０１１１】
○○タワーに関するアイテム情報はアイテム情報ＩＤ（０００１、０００１）で示され、デザイナー等によってデザイン化された（漫画化された）アイテム情報が登録された日によってアイテム情報ＩＤアドレスが異なることが示され、サーバ装置１０の判定部１３が、容易に最新のアイテム情報を判定できることが示されている。
【０１１２】
すなわち、○○タワーに関するアイテム情報の一つである２００８年１月２日００時００分００秒に登録されたアイテム情報はアイテム情報ＩＤアドレス（０００１、０００１、０００１）によって特定され、○○タワーに関するアイテム情報の一つである２００８年３月６日００時００分００秒に登録されたアイテム情報はアイテム情報ＩＤアドレス（０００１、０００１、０００２）によって特定され、同一のアイテム情報ＩＤを有するアイテム情報に関しては、アイテム情報ＩＤアドレスが一番大きいアイテム情報が最新のアイテム情報であることがわかる。
【０１１３】
但し、本実施形態においてはこれに限定されず、アイテム情報ＩＤアドレスが一番小さいアイテム情報を最新のアイテム情報であるように構成することも可能である。
【０１１４】
図７は、アバタに背景画像としてアイテム情報ＩＤアドレス（０００１、０００１、０００２）のアイテム情報が合成された合成画像情報を示す。
【０１１５】
図７で示された合成画像情報は、ユーザ端末２０の画面で確認することができ、ユーザがユーザ端末２０を介した友人等に送信して紹介することができる。
【０１１６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【０１１７】
なお、本実施形態においては、サーバ装置１０は、ハードディスク３７０及び光ディスクドライブ３８０を有する構成として説明したが、これに限られず、これらの駆動系を有さない構成、いわゆるゼロスピンドルによる構成であっても良い。このような構成の場合には、ハードディスク３７０に記憶される内容は、大容量の半導体メモリ３９０に記憶される。
【図面の簡単な説明】
【０１１８】
【図１】本実施形態に係るサーバと、ユーザ端末とから構成される情報処理システムを示す図である。
【図２】本発明に係るサーバの構成を示すブロック図である。
【図３】本実施形態に係るサーバの機能的な構成を示す機能ブロック図である。
【図４】本実施形態に係るサーバによる処理手順についての説明に供するフローチャートである。
【図５】本実施形態に係る画像パターン情報の一例を示す図である。
【図６】本実施形態に係る画像パターン情報、周辺情報、及びアイテム情報との関連付けの一例を示す図である。
【図７】本実施形態に係る合成画像情報の一例を示す図である。
【符号の説明】
【０１１９】
１  情報処理システム
１０  サーバ
２０  ユーザ端末
１１  画像パターン特定部
１２  周辺情報抽出部
１３  判定部
１４  アイテム反映部
１５  画像パターンＤＢ（データベース）
１６  周辺情報ＤＢ（データベース）
１７  アイテム情報ＤＢ（データベース）
１８  受信部
１９  送信部
【図１】
2010003223.tif 000003
【図２】
2010003223.tif 000004
【図３】
2010003223.tif 000005
【図４】
2010003223.tif 000006
【図５】
2010003223.tif 000007
【図６】
2010003223.tif 000008
【図７】
2010003223.tif 000009